(57)【要約】【課題】エレベータの所定箇所に設置された一対の送受信機１０を、効率良くしかも精度良く位置調整を行って良好な無線通信を行うことができるエレベータ用光無線伝送装置を提供する。【解決手段】エレベータベース２側とエレベータかご１側にそれぞれ対向して設置される一対の送受信機１０からなるものである。これらの各送受信機１０は、信号送信用の発光器１１と、信号受信用の受光器１２と、受光器が受光した受信信号のレベルを表示するレベルメータ１３と、受光器が受光した受信信号の受光状態を表示するランプ１４とをそれぞれ備えている。【選択図】　　　　図１
2004099243.tif 000002
【特許請求の範囲】
【請求項１】
エレベータベース側とエレベータかご側にそれぞれ対向して設置される一対の送受信機からなり、前記一対の各送受信機が、
信号送信用の発光器と、
信号受信用の受光器と、
前記受光器が受光した受信信号のレベルを表示するレベルメータと、
前記受光器が受光した受信信号の受光状態を表示するランプと
をそれぞれ備えたものであることを特徴とするエレベータ用光無線伝送装置。
【請求項２】
請求項１記載のエレベータ用光無線伝送装置において、
前記一方の送受信機の発光器と前記他方の送受信機の受光器とは、前記一対の送受信機が対向配置されたとき、互いに対面する位置に配設されていることを特徴とするエレベータ用光無線伝送装置。
【請求項３】
請求項１記載のエレベータ用光無線伝送装置において、
前記ランプは、前記受光器が受光した受信信号のレベルの大きさに応じて異なる色の複数のランプからなるものであることを特徴とするエレベータ用光無線伝送装置。
【請求項４】
請求項１記載のエレベータ用光無線伝送装置において、
前記発光器、前記受光器、前記ランプは、前記一対の送受信機の各正面に設置され、
前記レベルメータは、同各側面に設置されていることを特徴とするエレベータ用光無線伝送装置。
【請求項５】
請求項１記載のエレベータ用光無線伝送装置において、
前記一対の送受信機が対向配置されたとき、前記一対の送受信機の、前記発光器及び前記受光器を設置した面が互いに傾斜するようにされたことを特徴とするエレベータ用光無線伝送装置。
【請求項６】
請求項１記載のエレベータ用光無線伝送装置において、
前記一対の送受信機の、前記発光器及び前記受光器を設置した面をそれぞれ曲面としたことを特徴とするエレベータ用光無線伝送装置。
【請求項７】
請求項１記載のエレベータ用光無線伝送装置において、
前記発光器を少なくとも２個を設置したことを特徴とするエレベータ用光無線伝送装置。
【請求項８】
請求項７記載のエレベータ用光無線伝送装置において、
前記少なくとも２個の発光器は、それぞれ指向角が異なるものであることを特徴とするエレベータ用光無線伝送装置。
【発明の詳細な説明】
【０００１】
【発明の属する技術分野】
本発明は、エレベータかごとの間で赤外線ビームを使って光無線通信を行うエレベータ用光無線伝送装置に関する。
【０００２】
【従来の技術】
エレベータかごの室内に監視カメラを配置する。監視カメラの画像をエレベータかごの外部に送信してエレベータ管理者のモニタに表示する。
このためにエレベータかごには通信ケーブルが接続されてビル内の通信ネットワークに接続されている。しかしながら、エレベータかごにつり下げられて移動する通信ケーブルは、高層ビルでは重量が重くなる。特に、従来給電用ケーブルしか取り付けられていなかったエレベータに増設するのはかなりの費用を要する。
【０００３】
そこで、赤外線ビームを用いたワイヤレスリンクによるネットワーク接続方式が採用されている。この方式は、双方向通信も可能なように、送受信機を取り付けるものである。すなわち、図５に示すように、エレベータかご１内に設置された監視カメラ６の映像、マイク、スピーカの音声等を外部に伝送するために、エレベータかご１の外側面に赤外線ビーム５を使って光無線通信を行う送受信機３と、この送受信機３に対応してエレベータベース（床面）２に送受信機４をそれぞれ取り付けている。図８に、エレベータかご１側の監視カメラ６、マイク、スピーカと送受信機３とのブロック図、図９に、エレベータベース（床面）２側の送受信機４とモニタ、マイク、スピーカとのブロック図をそれぞれ示している。
図６に示すように、一方の送受信機４から送信された赤外線ビーム５は、直径１０センチメートルのものが１００メートル先では直径１〜２メートル程度になるようなビーム広がりになるように設定されている。これにより、最下階から最上階まで十分な信号レベルで双方向通信が可能になる。
【０００４】
【発明が解決しようとする課題】
ところで、上記のような従来の技術には、次のような解決すべき課題があった。
エレベータかご１とエレベータベース２の両方にそれぞれ取り付けた送受信機３、４は、相互に常に相手方の発信する赤外線ビーム５を受信できるように、エレベータかご１の移動中も、赤外線ビーム広がりの範囲内に位置していなければならない。
【０００５】
しかしながら、エレベータかご１とエレベータベース２との距離Ｌが１００メートルを越えると、エレベータかご１の取り付け精度が不十分だったり、エレベータかご１が移動中に揺動することにより、赤外線ビームが図６に符号５Ａで示すように、送受信機３に対して外側にずれてしまうことがある。このときは、２つの送受信機３、４が互いに赤外線ビーム到達範囲外に位置することになる。これでは正常な通信が遮断されてしまい、信頼性の高い防犯システムを構築することができない。
【０００６】
また、赤外線の発信パワーを大きくしたり、赤外線のビーム幅を広げると、上記の問題を解決することができるが、エネルギ損失が増える。さらに、併設されて隣接する別のエレベータの通信を妨害するおそれもある。また、送受信機が相互に最接近したとき赤外線の発信パワーが大きくなり過ぎるという問題がある。
これは自動利得制御により緩和できるが、送受信機が互いに接近したとき、両者の間で赤外線ビームが各送受信機の対面する正面間で反射を繰り返して異常な信号を励起するという問題もあった。
【０００７】
本発明は、かかる点に着目してなされたもので、エレベータベース側とエレベータかご側にそれぞれ対向して設置される一対の送受信機を、効率良くしかも精度良く設置して良好な無線通信を行うことができるエレベータ用光無線伝送装置を提供することを目的とする。
【０００８】
【課題を解決するための手段】
本発明は、以上の点を解決するため、次の構成を採用する。　〈構成１〉
エレベータベース側とエレベータかご側にそれぞれ対向して設置される一対の送受信機からなり、上記一対の各送受信機が、信号送信用の発光器と、信号受信用の受光器と、上記受光器が受光した受信信号のレベルを表示するレベルメータと、上記受光器が受光した受信信号の受光状態を表示するランプとをそれぞれ備えたものであることを特徴とするエレベータ用光無線伝送装置。
【０００９】
前記レベルメータは、前記一対の各送受信機をエレベータベースとエレベータかごにそれぞれ取り付けたときに、相互に位置ずれがなく、受信信号のパワーレベルが最良になるように、これを見ながら送受信機の取り付け位置や角度の調整をするために利用するもので、例えば受信信号のレベルを針の動きで表示する。
【００１０】
上記の送受信機の取り付け位置や角度の調整は、最終段階の微調整を行うことを意図するもので、最初の段階では一対の送受信機を、最接近させた状態のエレベータベースとエレベータかごの所定の各位置にそれぞれ対向して取付けるが、この段階で所定の位置や角度がかなりの精度になるように取付けている。その後、エレベータかごを最上方に移動させ、エレベータベースからエレベータかごに取付けた送受信機のランプを見上げながら、上記の最終段階の微調整を行うのである。
【００１１】
前記ランプは、前記受光器が受光した受信信号のレベルが一定の閾値を越えたとき、点灯色や点滅間隔等により、その状態を段階的に表示するもので、例えば複数個の表示ＬＥＤ（ｌｉｇｈｔ　ｅｍｉｔｔｉｎｇ　ｄｉｏｄｅ；発光ダイオード）が採用される。
前記発光器により赤外線ビームを送信しながら、受光側の受信信号の状態表示ランプとレベルメータとを見て、送受信機の取り付け位置や角度の微調整をする。
【００１２】
〈構成２〉
構成１記載のエレベータ用光無線伝送装置において、上記一方の送受信機の発光器と上記他方の送受信機の受光器とは、上記一対の送受信機が対向配置されたとき、互いに対面する位置に配設されていることを特徴とするエレベータ用光無線伝送装置。
【００１３】
対向配置された一対の各送受信機の各発光器からそれぞれ発信された赤外線ビームが他方の送受信機の各受光器に、より効率的に到達させることが好ましい。
【００１４】
〈構成３〉
構成１記載のエレベータ用光無線伝送装置において、上記ランプは、上記受光器が受光した受信信号のレベルの大きさに応じて異なる色の複数のランプからなるものであることを特徴とするエレベータ用光無線伝送装置。
【００１５】
前記受光器が受光した受信信号のレベルの大きさに応じて、例えば、大中小に応じて緑色、黄色、赤色の３段階程度で識別する。
【００１６】
〈構成４〉
構成１記載のエレベータ用光無線伝送装置において、上記発光器、上記受光器、上記ランプは、上記一対の送受信機の各正面に設置され、上記レベルメータは、同各側面に設置されていることを特徴とするエレベータ用光無線伝送装置。
【００１７】
受信信号の受光状態を表示するランプの取り付け位置は、一方の送受信機の位置から他方の送受信機のランプが見える位置にする必要がある。また、前記レベルメータは、送受信機の側方からその表示が見える状態に配置する。
前記レベルメータを見ながら送受信機の取り付け位置や角度の調整作業を行うが、エレベータかごでの調整作業はエレベータかごの屋根側から行なうので、レベルメータが側面に設けられていることにより、無理な姿勢をとらなくとも送受信機の裏側からも前記レベルメータの表示を見ることができる。側面方向から表示がみえれば、どの面に前記レベルメータがあってもよい。
また、製造コスト上、全ての送受信機を同一規格にしたい。
【００１８】
〈構成５〉
構成１記載のエレベータ用光無線伝送装置において、上記一対の送受信機が対向配置されたとき、上記一対の送受信機の、上記発光器及び上記受光器を設置した面が互いに傾斜するようにされたことを特徴とするエレベータ用光無線伝送装置。
【００１９】
送受信機の発光器と受光器の設置面を、互いに傾斜させることにより、向かい合った一方の送受信機の発光器から送信されたビームが、他方の送受信機の受光器側にそれぞれ反射して元に戻ることを防止することができる。
【００２０】
〈構成６〉
構成１記載のエレベータ用光無線伝送装置において、上記一対の送受信機の、上記発光器及び上記受光器を設置した面をそれぞれ曲面としたことを特徴とするエレベータ用光無線伝送装置。
【００２１】
この場合も、向かい合った一方の送受信機の各発光器１１から送信されたビームが他方の送受信機の各受光器側にそれぞれ反射して元に戻ることを防止することができる。
【００２２】
〈構成７〉
構成１記載のエレベータ用光無線伝送装置において、上記発光器を少なくとも２個を設置したことを特徴とするエレベータ用光無線伝送装置。
【００２３】
前記発光器を少なくとも２個を設置したことにより、エレベータベースとエレベータかごが接近したときに、それぞれ対向して設置される一対の送受信機からの相互無線がずれて信号のやり取りができなくなるという事態を回避することができる。
【００２４】
〈構成８〉
構成６記載のエレベータ用光無線伝送装置において、上記少なくとも２個の発光器は、それぞれ指向角が異なるものであることを特徴とするエレベータ用光無線伝送装置。
【００２５】
上記少なくとも２個の発光器は、それぞれ指向角が異なるものであることにより、エレベータかごがエレベータベースに接近したとき指向角の小さくなる赤外線ビームから、指向角の大きな赤外線ビームに変わることができ、送受信機が赤外線ビームの範囲から外れることによるトラブルを回避する。
【００２６】
【発明の実施の形態】
以下、本発明の実施の形態を具体例を用いて説明する。
図１〜４は、本発明のエレベータ用光無線伝送装置の一例を構成する送受信機を示している。これらの図において、送受信機１０は、筐体内に、信号送信用の発光器１１と、信号受信用の受光器１２と、受光器１２が受光した受信信号のレベルを表示するレベルメータ１３と、受光器１２が受光した受信信号の受光状態を表示するランプ１４とをそれぞれ備えている。送受信機１０の背面に、ＬＡＮ（ローカル　エリア　ネットワーク）ポート２０と電源コネクタ２１が設けられている。
【００２７】
この送受信機１０は、図５に示すエレベータかご１とエレベータベース（床面）２との両方に１台ずつそれぞれ対向して設置される。
一方の送受信機の発光器１１から発信した信号が他方の送受信機の受光器１２により受信されることから、一方の送受信機の発光器１１と他方の送受信機の受光器１２とは、向かい合わせに配置されたとき、互いに直接に対面する位置に配設されている。
【００２８】
送受信機１０の両側部に、それぞれＬ型の脚体２３、２４が水平方向に並置された３本ずつの取付ねじ２５、２６、２７で固着されている。両側の取付ねじ２５、２７を受け入れるために脚体２３、２４に設けられている透孔３０、３１は円弧状を呈している。従って、図２に示すように、両側の取付ねじ２５、２７を緩めることにより、中央の取付ねじ２６を中心として送受信機１０の本体が角度α（円弧状の透孔３０、３１の長さで決まる角度）の範囲で回動するようにされている。
【００２９】
また、図４に示すように、脚体２３、２４の各底部に、３本ずつの取付ねじを受け入れるための透孔３３、３４、３５が設けられている。これらの透孔も長孔とされており、取付ねじを緩めることにより、送受信機１０の中央部を中心として送受信機１０の本体が角度β（中央の透孔３４の長さで決まる角度）の範囲で回動するようにされている。
【００３０】
レベルメータ１３は、一対の各送受信機１０の取り付け時に、各受光器１２が受ける受信信号のパワーレベルが最良になるように、これを見ながら送受信機１０の取り付け位置や角度の調整をするために利用するもので、受信信号のレベルを針１５の動きで表示するものである。
【００３１】
ランプ１４は、点灯色の異なる３個のＬＥＤからなり、受光器１２が受光した受信信号のレベルが一定の閾値を越えたときの状態を段階的に表示するものである。例えば、受信信号のレベルが全く達していないとき、すなわち、光通信不可のときは赤色発光のＬＥＤ１４ａ、レベルがある程度達しているが、光通信するには不十分なときは黄色発光のＬＥＤ１４ｂ、レベルが一定以上達しているとき、すなわち、光通信可あるいは光通信最良状態のときは緑色発光のＬＥＤ１４ｃがそれぞれ点灯するようにされる。但し、３個のランプを使わずに、１個で上記の各レベルに対応する複数色の点灯色を表示できるランプを使用するようにしてもよい。
一対の各送受信機は、両方とも発光器により赤外線ビームを送信しながら、受光側の受信信号の状態表示ランプ１４とレベルメータ１３とを見て、送信側の送受信機の取り付け位置や角度の調整をする。
【００３２】
レベルメータ１３は、発光器１１、受光器１２、ランプ１４が送受信機の正面に設置されている場合、レベルメータ１３は同側面に設置されている。このようにレベルメータ１３を、側面に設置していることにより、送受信機の正面側及び裏側からも見ることができる。
【００３３】
一対の送受信機は対向配置されるが、そのとき、各送受信機の、発光器１１と受光器１２を設置した面（正面）を、互いに傾斜させるか、あるいは同面をそれぞれ曲面とすることが望ましい。
このようにすることによって、向かい合った一方の送受信機の各発光器１１から送信されたビームが他方の送受信機の各受光器側にそれぞれ反射して元に戻ることを防止することができる。
【００３４】
図７は本発明の他の実施例による赤外線ビームの照射状態を示している。
図７では、送受信機に２個の発光器を設置した実施例を示している。一方の発光器から発信される赤外線ビーム１６は、他方の発光器から発信される１７よりも指向角が小さい。
エレベータかご１に設置された送受信機１０は、エレベータかご１がエレベータベース２から一定以上離れているときは一方の発光器から発信された赤外線ビーム１６を受信し、エレベータかご１がエレベータベース２に接近したときに、赤外線ビーム１６の指向角より大きな指向角を有する他方の発光器からの赤外線ビーム１７を受信するようになる。
【００３５】
このように２個の発光器を設置したことにより、赤外線ビームが全長に亘って広がる状態となるので、無線通信の可能領域を実質上広げ、エレベータベース２とエレベータかご１が接近したときでも、それぞれ対向して設置される一対の送受信機からの相互無線が外れて無線信号のやり取りができなくなるという事態を回避することができる。さらに、一方の赤外線ビーム１７を短距離用としておくことにより、エレベータかご１の受光器１２が、エレベータベース２に接近したときパワーが強くなる赤外線ビーム１６の受光から、パワーの小さな赤外線ビーム１７からの受光に替わることにより、送受信機が強力なパワーを受けることによるトラブルを回避することができる。
【図面の簡単な説明】
【図１】本発明に係わるエレベータ用光無線伝送装置の一実施例を示す正面図である。
【図２】同側面図である。
【図３】同背面図である。
【図４】同平面図である。
【図５】エレベータ用光無線伝送装置をエレベータに設置した状態の説明図である。
【図６】エレベータ用光無線伝送装置による赤外線ビームの照射状態の説明図である。
【図７】本発明の他の実施例による赤外線ビームの照射状態の説明図である。
【図８】エレベータ用光無線伝送装置おける一方の送受信機のブロック図である。
【図９】エレベータ用光無線伝送装置おける他方の送受信機のブロック図である。
【符号の説明】
１　　　エレベータかご
２　　　エレベータベース
１０　送受信機
１１　発光器
１２　受光器
１３　レベルメータ
１４　ランプ
２３、２４　脚体
２５、２６、２７　取付ねじ
３０、３１　透孔
【図１】
2004099243.tif 000003
【図２】
2004099243.tif 000004
【図３】
2004099243.tif 000005
【図４】
2004099243.tif 000006
【図５】
2004099243.tif 000007
【図６】
2004099243.tif 000008
【図７】
2004099243.tif 000009
【図８】
2004099243.tif 000010
【図９】
2004099243.tif 000011
【手続補正書】
【提出日】平成14年9月25日(2002.9.25)
【手続補正１】
【補正対象書類名】明細書
【補正対象項目名】０００３
【補正方法】変更
【補正の内容】
【０００３】
そこで、赤外線ビームを用いたワイヤレスリンクによるネットワーク接続方式が採用されている（例えば、特許文献１参照。）。この方式は、双方向通信も可能なように、送受信機を取り付けるものである。すなわち、図５に示すように、エレベータかご１内に設置された監視カメラ６の映像、マイク、スピーカの音声等を外部に伝送するために、エレベータかご１の外側面に赤外線ビーム５を使って光無線通信を行う送受信機３と、この送受信機３に対応してエレベータベース（床面）２に送受信機４をそれぞれ取り付けている。図８に、エレベータかご１側の監視カメラ６、マイク、スピーカと送受信機３とのブロック図、図９に、エレベータベース（床面）２側の送受信機４とモニタ、マイク、スピーカとのブロック図をそれぞれ示している。
図６に示すように、一方の送受信機４から送信された赤外線ビーム５は、直径１０センチメートルのものが１００メートル先では直径１〜２メートル程度になるようなビーム広がりになるように設定されている。これにより、最下階から最上階まで十分な信号レベルで双方向通信が可能になる。


【手続補正２】
【補正対象書類名】明細書
【補正対象項目名】０００４
【補正方法】変更
【補正の内容】
【０００４】
【特許文献１】
特開２００１−３１３４０号公報


【手続補正３】
【補正対象書類名】明細書
【補正対象項目名】０００５
【補正方法】変更
【補正の内容】
【０００５】
【発明が解決しようとする課題】
ところで、上記のような従来の技術には、次のような解決すべき課題があった。
エレベータかご１とエレベータベース２の両方にそれぞれ取り付けた送受信機３、４は、相互に常に相手方の発信する赤外線ビーム５を受信できるように、エレベータかご１の移動中も、赤外線ビーム広がりの範囲内に位置していなければならない。
しかしながら、エレベータかご１とエレベータベース２との距離Ｌが１００メートルを越えると、エレベータかご１の取り付け精度が不十分だったり、エレベータかご１が移動中に揺動することにより、赤外線ビームが図６に符号５Ａで示すように、送受信機３に対して外側にずれてしまうことがある。このときは、２つの送受信機３、４が互いに赤外線ビーム到達範囲外に位置することになる。これでは正常な通信が遮断されてしまい、信頼性の高い防犯システムを構築することができない。